(57)【要約】【課題】見守り機能の利便性を向上させることが可能なナースコールシステムを提供する。【解決手段】ナースステーションに設置されるナースコール親機５と、患者が看護者を呼び出すために病室に設置されるナースコール子機２と、患者の情報を表示するとともにナースコール親機５の呼出状態を報知する廊下灯４と、患者を撮像するカメラ３と、撮像を解析する解析装置６とを有するナースコールシステム１であって、ナースコール親機５は、解析装置６が患者の起き上がる動作又は離床する動作を検出したときに警報音を出すように設定されており、病室における停止操作に基づいて、警報音を出さない警報音停止モードに設定される。【選択図】図１
2018166264.tif 000002
【特許請求の範囲】
【請求項１】
ナースステーションに設置されるナースコール親機と、
患者が看護者を呼び出すために病室に設置されるナースコール子機と、
前記患者の情報を表示するとともに前記ナースコール親機の呼出状態を報知する廊下灯と、
前記患者を撮像して前記撮像された画像を解析する撮像機と、を有するナースコールシステムであって、
前記ナースコール親機は、
前記撮像機が前記患者の起き上がる動作又は離床する動作を検出したときに警報音を出すように設定されており、
前記病室における停止操作に基づいて、前記警報音を出さない警報音停止モードに設定される、
ナースコールシステム。
【請求項２】
前記ナースコール親機は、前記警報音停止モードに設定された時から所定時間経過した後に、前記警報音停止モードが解除される、
請求項１に記載のナースコールシステム。
【請求項３】
前記警報音停止モードに関する情報を含むバーコード情報の表示が可能な前記看護者に保持される携帯端末を備え、
前記バーコード情報が前記撮像機に取得されたときに前記警報音停止モードに設定される、
請求項１又は請求項２に記載のナースコールシステム。
【請求項４】
前記バーコード情報は、異なる前記所定時間に応じて複数種類備えられる、
請求項３に記載のナースコールシステム。
【請求項５】
前記ナースコール子機は、前記警報音停止モードを解除する前に、当該解除を予告する情報が通知される、
請求項１から請求項４のいずれか一項に記載のナースコールシステム。
【請求項６】
前記携帯端末は複数備えられ、
前記撮像機は、前記バーコード情報の取得とともに複数の前記携帯端末のうち前記バーコード情報を表示した携帯端末を特定する情報を取得し、
特定された前記携帯端末は、前記警報音停止モードを解除する前に、前記解除を予告する情報が通知される、
請求項３から請求項５のいずれか一項に記載のナースコールシステム。
【請求項７】
ナースステーションに設置されるナースコール親機と、
患者が看護者を呼び出すために病室に設置されるナースコール子機と、
前記患者の情報を表示するとともに前記ナースコール親機の呼出状態を報知する廊下灯と、
前記患者を撮像して前記撮像された画像を解析する撮像機と、を有するナースコールシステムであって、
前記ナースコール親機は、前記撮像機が前記患者の起き上がる動作又は離床する動作を検出したときに警報音を出すように設定されており、
前記撮像機は、前記病室における停止操作に基づいて、前記撮像を停止する撮像停止モードに設定される、
ナースコールシステム。
【請求項８】
前記撮像機は、開閉可能な蓋に覆われる位置に前記患者を撮像する撮像面を備え、
前記撮像面は、前記停止操作に基づいて、前記蓋に覆われて前記撮像停止モードに設定される、
請求項７に記載のナースコールシステム。
【発明の詳細な説明】
【技術分野】
【０００１】
本発明は、病院等に設置されるナースコールシステムに関するものである。
【背景技術】
【０００２】
従来、病院等に設置されるナースコールシステムがある。例えば、特許文献１のナースコールシステムは、看護者を呼び出すためのベッド子機と、ベッド子機からの呼出を看護者が確認するナースコール親機とを設けている。
このようなナースコールシステムは、起き上がる動作を禁じられる絶対安静の患者や、徘徊の虞があるため離床する動作を見守るべき患者にも用いられることがある。このような重篤患者等には、一般的なナースコールシステムの機能に加えて、患者の起き上がる動作や離床する動作を検出することが可能な見守り機能が追加される場合がある。このナースコールシステムでは、患者の起き上がる動作や離床する動作を検出したときにナースコール親機のスピーカ等から警報音を出して、ナースコール親機が設置されているナースステーションにいる看護者に、患者が看護者を呼び出していることを知らせるように構成されている。
【先行技術文献】
【特許文献】
【０００３】
【特許文献１】特開２００７−２０２７１２号公報
【発明の概要】
【発明が解決しようとする課題】
【０００４】
重篤の入院患者等に対して、定期的に患者の体を清拭する看護が行われる。このときに、看護者の動きを患者が起き上がったと誤って検出して、ナースコール親機で警報音が出ることがある。このような誤検出による警報音が出ないようにするためには、清拭の前に、清拭する患者毎に、ナースコール親機を操作して警報音が出ないように設定する必要がある。
しかし、清拭は、患者の病室等、ナースコール親機の設置場所から離れた場所で行われることが多い。清拭する患者毎にナースコール親機の警報音が出ないように設定することは、看護者に過度の業務負担となってしまう。このように、従来のナースコールシステムに設けられる見守り機能には利便性に改善の余地がある。
【０００５】
そこで、本発明は、見守り機能の利便性を向上させることが可能なナースコールシステムを提供することを目的とする。
【課題を解決するための手段】
【０００６】
上記目的を達成するために、本発明のナースコールシステムは、
ナースステーションに設置されるナースコール親機と、
患者が看護者を呼び出すために病室に設置されるナースコール子機と、
前記患者の情報を表示するとともに前記ナースコール親機の呼出状態を報知する廊下灯と、
前記患者を撮像して前記撮像された画像を解析する撮像機と、を有するナースコールシステムであって、
前記ナースコール親機は、
前記撮像機が前記患者の起き上がる動作又は離床する動作を検出したときに警報音を出すように設定されており、
前記病室における停止操作に基づいて、前記警報音を出さない警報音停止モードに設定される。
【０００７】
上記構成によれば、看護者が患者を所定時間看護するとき等に、ナースコール親機は警報音を出さない警報音停止モードに設定されるので、撮像機が看護者の動作を患者の起き上がる動作であると誤検出しても、ナースコール親機から警報音が出ないようにすることができる。
【０００８】
また、本発明のナースコールシステムにおいて、
前記ナースコール親機は、前記警報音停止モードに設定された時から所定時間経過した後に、前記警報音停止モードが解除されてもよい。
【０００９】
上記構成によれば、看護者が警報音停止モードを解除し忘れたとしても所定時間経過後に自動的に警報音停止モードが解除されるため患者の見守りを確実に継続することができる。
【００１０】
また、本発明のナースコールシステムは、
前記警報音停止モードに関する情報を含むバーコード情報の表示が可能な前記看護者に保持される携帯端末を備え、
前記バーコード情報が前記撮像機に取得されたときに前記警報音停止モードに設定されてもよい。
【００１１】
上記構成によれば、撮像機がバーコード情報を取得することにより、ナースコール親機は警報音停止モードに設定されるので、看護者は簡易に警告音停止モードに設定することができ、看護者の操作負担を軽減することができる。
【００１２】
また、本発明のナースコールシステムにおいて、
前記バーコード情報は、異なる前記所定時間に応じて複数種類備えられていてもよい。
【００１３】
上記構成によれば、複数のバーコード情報から、警報音停止モードに設定したい時間の情報を有するバーコードを選択することができ、簡易に警報音停止モードの設定の時間を選択して、警報音停止モードに設定することができる。
【００１４】
また、本発明のナースコールシステムにおいて、
前記ナースコール子機は、前記警報音停止モードを解除する前に、当該解除を予告する情報が通知されてもよい。
【００１５】
上記構成によれば、設定が解除されるタイミングが迫ったことを看護者が知ることができる。看護者は、必要に応じて、警報音を出さない設定を継続する操作を行うこともできる。
【００１６】
また、本発明のナースコールシステムにおいて、
前記携帯端末は複数備えられ、
前記撮像機は、前記バーコード情報の取得とともに複数の前記携帯端末のうち前記バーコード情報を表示した携帯端末を特定する情報を取得し、
特定された前記携帯端末は、前記警告音停止モードを解除する前に、前記解除を予告する情報が通知されてもよい。
【００１７】
上記構成によれば、設定を指示した携帯端末を保持する看護者は、設定の解除のタイミングが迫ったことを知ることができる。
【００１８】
また、本発明のナースコールシステムは、
ナースステーションに設置されるナースコール親機と、
患者が看護者を呼び出すために病室に設置されるナースコール子機と、
前記患者の情報を表示するとともに前記ナースコール親機の呼出状態を報知する廊下灯と、
前記患者を撮像して前記撮像された画像を解析する撮像機と、を有するナースコールシステムであって、
前記ナースコール親機は、前記撮像機が前記患者の起き上がる動作又は離床する動作を検出したときに警報音を出すように設定されており、
前記撮像機は、前記病室における停止操作に基づいて、前記撮像を停止する撮像停止モードに設定される。
【００１９】
上記構成によれば、撮像停止モードに設定されるので、患者のプライバシーに配慮した見守りを行うことができる。
【００２０】
また、本発明のナースコールシステムにおいて、
前記撮像機は、開閉可能な蓋に覆われる位置に前記患者を撮像する撮像面を備え、
前記撮像面は、前記停止操作に基づいて、前記蓋に覆われて前記撮像停止モードに設定されてもよい。
【００２１】
上記構成によれば、撮像停止モードに設定されるので、患者のプライバシーに配慮した見守りを行うことができる。
【発明の効果】
【００２２】
本発明のナースコールシステムによれば、見守り機能の利便性を向上させることができる。
【図面の簡単な説明】
【００２３】
【図１】本発明の実施形態に係るナースコールシステムの構成図である。
【図２】解析装置の機能ブロック図である。
【図３】携帯端末の機能ブロック図である。
【図４】ナースコール制御機の機能ブロック図である。
【図５】携帯端末に表示されるバーコード情報の一例を示す図である。
【図６】カメラに設けられた蓋を説明するための図である。
【発明を実施するための形態】
【００２４】
以下、本実施形態の一例について、図面を参照して説明する。
図１に示すように、ナースコールシステム１は、ナースコール子機２と、カメラ３（撮像機の一例）と、廊下灯４と、ナースコール親機５と、解析装置６と、携帯端末７と、ナースコール制御機８と、構内交換機９と、ローカル用基地局１０と、管理サーバ１１とを備えている。ナースコールシステム１は、例えば病院等の医療・看護施設内に設置される。
【００２５】
ナースコール子機２は伝送線Ｌ１を介して廊下灯４に接続されており、カメラ３は伝送線Ｌ２を介して廊下灯４に接続されている。ローカル用基地局１０は、伝送線Ｌ３を介して構内交換機９に接続されている。また、各部は、ネットワークＮ（本例では、ＬＡＮ：Local Area Network）を介して通信可能に接続されるとともに、必要に応じてハブ（ＨＵＢ）１５により分配されて接続されている。
【００２６】
ナースコール子機２は、病室内のベッド毎に設置されており、プレート子機２１と、プレート子機２１に着脱可能な握り子機２２とを備えている。プレート子機２１には、看護者（看護師や医師等を含む医療従事者）を呼び出すための呼出ボタン、通話等するためのマイクおよびスピーカが設けられている。握り子機２２には、看護者を呼び出すための呼出ボタンが設けられている。ナースコール子機２は、ネットワークＮ上で用いられる子機番号（子機ＩＤ）を有する。
【００２７】
カメラ３は、病室内の例えばベッド毎に設置されており、ベッド上にいる患者の様子、あるいはベッド周辺にいる患者の様子等を撮像することが可能である。また、カメラ３には、携帯端末７に表示される情報（例えばバーコード情報）を読み取ることが可能なアプリケーションがインストールされている。カメラ３は、例えば独立して壁などに取り付けられていてもよいし、プレート子機２１に埋め込んで設けられていてもよい。各カメラ３は、それぞれのカメラを特定することが可能なＩＰアドレス（Internet Protocolアドレス）を有する。
【００２８】
廊下灯４は、例えば各病室の出入口付近に設置されており、ナースコール子機２を操作した患者の情報を表示する液晶表示部４１と、ナースコール子機２から呼び出しが発せられたことを報知する表示ランプ４２とを備えている。廊下灯４の記憶部（図示省略）には患者の氏名、患者番号（患者ＩＤ）、病室番号、ベッド番号等の患者情報がナースコール子機２の子機ＩＤ、カメラ３のＩＰアドレス等と互いに対応付けられて記憶されている。
【００２９】
ナースコール親機５は、ナースステーション等に設置されており、ハンドセット５１、小型モニタ５２、大型モニタ５３、および警報出力部５４等を備えている。ハンドセット５１は、呼び出しに応答するため等の通話時に用いられる。小型モニタ５２は、主な患者情報が表示されるモニタであり、大型モニタ５３は、各患者の詳細情報を一覧表示することが可能なモニタである。警報出力部５４は、見守り対象とされる患者の所定の動作が検出された際に警報音が出力される出力部である。患者の所定の動作には、例えば患者の起き上がり動作、患者が離床する動作等が含まれる。
【００３０】
解析装置６は、カメラ３で撮像された画像を解析する装置であり、例えばナースステーション等に設置されている。本例では、解析装置６は独立したものとして設けられているが、例えばカメラ３と一体に設けるようにしてもよいし、ナースコール制御機８内あるいは廊下灯４内に含めて設けるようにしてもよい。
【００３１】
携帯端末７（本例では、携帯端末７ａ〜７ｅ）は、看護者が業務に使用するために携帯する端末であり、例えばタッチパネル式の表示画面７３を有している。携帯端末７は、表示画面７３上に、例えば患者の見守り機能と対応付けられた警報音に関する情報あるいはカメラ３の撮像に関する情報を表示可能である。携帯端末７としては、例えば無線通信（例えば、「WiFi」）可能なスマートフォン等が用いられる。携帯端末７は、ネットワークＮ上で用いられる携帯番号（携帯端末ＩＤ）を有する。携帯端末ＩＤは、その携帯端末を携帯する看護者の看護者ＩＤと対応付けられている。
【００３２】
携帯端末７は、病院内に構築されたローカル通信網（ネットワークＮ）を介して携帯端末７とナースコール制御機８とを通信可能に接続する通信モードを有する。この通信モードでは、ローカル用基地局１０を介して無線通信（例えば、WiFi）により構内交換機９と携帯端末７とを接続し、上記携帯端末ＩＤを用いて携帯端末７とナースコール制御機８間の通信が可能になる。
【００３３】
ナースコール制御機８は、ナースコール子機２、カメラ３、ナースコール親機５、解析装置６、および携帯端末７の間の通信を制御するとともに、各部の動作を制御する。
【００３４】
構内交換機９（例えば、ＰＢＸ：Private Branch eXchange）は、携帯端末７とナースコール制御機８との通信接続等を管理するための機器であり、病院内の共用部等に設置されている。ローカル用基地局１０は、携帯端末７との間で無線通信（例えば、WiFi）を行うためのアンテナであり、病院内に所定の間隔で設置されている。
【００３５】
管理サーバ１１は、患者の情報、携帯端末の情報、看護者の情報等を含む病院に関する最新の情報を一括して管理するサーバである。
【００３６】
次に、解析装置６の機能について説明する。図２に示すように、解析装置６は、解析装置ＣＰＵ６１と、解析装置ＣＰＵ６１に接続された解析アプリケーション６２、記憶部６３、および解析装置インターフェース回路（以下、インターフェース回路を「Ｉ／Ｆ」と称す）６４とを備えている。
【００３７】
解析アプリケーション６２には、例えば患者がベッド上で伏した状態から上半身を起き上がらせた状態に移行する起き上がり動作や、患者がベッドから外方へ移動する離床動作等を検出するための動作解析アプリケーションがインストールされている。また、解析アプリケーション６２には、例えばカメラ３で撮像された画像に映る人物がそのベッドに入院している患者であるか否かを判別するための顔認証アプリケーションがインストールされている。また、解析アプリケーション６２には、例えば携帯端末７の表示画面７３から読み込まれた警報音に関する情報、同じく読み込まれたカメラ３の撮像に関する情報等を識別するための情報解析アプリケーションがインストールされている。記憶部６３には、起き上がり動作および離床動作を判断するために用いられる患者の位置情報、患者の顔認証を行うために用いられる予め撮像された患者の顔情報等が記憶されている。
【００３８】
解析装置ＣＰＵ６１は、解析アプリケーション６２にインストールされているアプリケーションに基づいて、患者の動作解析、顔認証、情報解析等を行う。解析装置Ｉ／Ｆ６４は、ネットワークＮとの信号伝送路を形成するための通信部を構成する。
【００３９】
次に、携帯端末７の機能について説明する。図３に示すように、携帯端末７は、携帯ＣＰＵ７１と、携帯ＣＰＵ７１に接続された携帯アプリケーション７２、表示画面７３、および携帯Ｉ／Ｆ７４とを備えている。
【００４０】
携帯アプリケーション７２には、所定の操作に基づいて、例えば警報音がナースコール親機５から出力されないように設定することが可能な警報音停止情報を携帯端末７の表示画面７３に表示させるアプリケーションがインストールされている。
また、携帯アプリケーション７２には、所定の操作に基づいて、例えばカメラ３による患者の撮像を停止させるように設定することが可能な撮像停止情報を携帯端末７の表示画面７３に表示させるアプリケーションがインストールされている。
【００４１】
携帯ＣＰＵ７１は、携帯アプリケーション７２にインストールされているアプリケーションに基づいて、携帯端末７の各部の動作を制御する。携帯Ｉ／Ｆ７４は、構内交換機９と信号伝送路を形成するための通信部を構成する。
【００４２】
次に、ナースコール制御機８の機能について説明する。図４に示すように、ナースコール制御機８は、制御機ＣＰＵ８１と、制御機ＣＰＵ８１に接続された記憶部８２、および制御機Ｉ／Ｆ８３とを備えている。
【００４３】
記憶部８２には、患者情報テーブル８２ａと、動作解析ファイル８２ｂとが設けられている。
患者情報テーブル８２ａには、患者の氏名、患者ＩＤ、子機ＩＤ、カメラのＩＰアドレス、携帯端末ＩＤ、担当看護者（看護者ＩＤ）等の患者情報が相互に対応付けられて記憶されている。なお、患者情報テーブル８２ａの各情報は、例えば、管理サーバ１１の情報が更新されるたびに管理サーバ１１から送信されて最新の情報へと更新される。
動作解析ファイル８２ｂには、患者の起き上がり動作および患者の離床動作を検出するためにカメラ３で撮像された患者の画像データ、すなわち患者の見守り画像データが記憶されている。
【００４４】
制御機ＣＰＵ８１は、患者情報テーブル８２ａに記憶されている患者情報に基づいて、各部の動作あるいは各部間の通信接続等を制御する。例えば携帯端末７から送信されてくる警報音停止情報、撮像停止情報等に基づいて、ナースコール親機５の警報音出力やカメラ３の撮像等を制御する。制御機Ｉ／Ｆ８３は、ネットワークＮとの信号伝送路を形成するための通信部を構成する。
【００４５】
次に、ナースコールシステム１の動作について説明する。
病院内の病室（本例では１０１号室とする）において、カメラ３は、見守り対象の患者（本例では患者Ｍと称する）を撮像対象とし、患者Ｍの頭部上方の壁に設置されている。カメラ３は、基本的には常時、撮像動作するように、ナースコール制御機８によって制御されている。また、カメラ３の撮像範囲は、患者Ｍが居るベッドの全体を撮像することが可能な範囲（以下、見守り範囲と称する）となるように、カメラ３の撮影画角が設定されている。
【００４６】
カメラ３によって撮像された見守り範囲の画像データは、伝送線Ｌ２を介して廊下灯４に送信される。廊下灯４は、撮像データを送信したカメラ３を識別し、記憶部に記憶されている患者情報を参照して、カメラ３のＩＰアドレスを撮像データに付加する。ＩＰアドレス付きの撮像データは、ネットワークＮを介して、廊下灯４から解析装置６およびナースコール制御機８に送信される。
【００４７】
ナースコール制御機８は、送信されてきたＩＰアドレス付きの撮像データを記憶部８２の動作解析ファイル８２ｂに記録する。
解析装置６は、画像データを画像処理して、患者Ｍの顔認証を行った後、患者Ｍの動作解析を行う。顔認証は、カメラ３で撮像された人物の顔画像と、記憶部６３に記憶されている患者の顔情報とを比較して行われる。動作解析は、例えば患者Ｍがベッド上に伏している状態、上半身を起こした起き上がり状態、ベッドから離れた離床状態を検出することにより行われる。
【００４８】
動作解析において、先ず、患者Ｍがベッド上に伏している状態は、例えば患者Ｍの頭部の位置情報に基づき判別される。次に、患者Ｍがベッド上に伏した状態から上半身を起こした状態に移行したことが検出されることで、起き上がり動作が発生したと判別される。そして、起き上がり動作が検出された後、患者Ｍがベッド上から外方へ移動した（見守り範囲から居なくなった）ことが検出されることで、離床動作が発生したと判別される。起き上がり動作が発生したと判別された場合には起き上り信号が、離床動作が発生したと判別された場合には離床信号が、上記ＩＰアドレスに付加され、解析装置６からナースコール制御機８に送信される。
【００４９】
起き上り信号または離床信号を受信したナースコール制御機８は、これらの信号をナースコール親機５へ送信する。起き上り信号または離床信号を受信したナースコール親機５は、ナースコールを必要としている患者が居ることを報知する警報音を警報出力部５４から出力させる。また、ナースコール親機５は、ＩＰアドレスに基づいて、ナースコールを必要としている患者の情報（部屋番号、ベッド番号、氏名等）を小型モニタ５２に表示させる。
【００５０】
続いて、例えば患者Ｍを担当している看護者（本例では看護者Ａと称する）が１０１号室の患者Ｍのところへ清拭に訪れた際の動作について説明する。
看護者Ａは、例えば患者Ｍを清拭している間、ナースコール親機５の警報音が出力されないようにするための警報音停止操作を病室から行う。これは、患者Ｍを清拭しているときの看護者Ａの動きあるいは清拭されている患者Ｍの動きが患者Ｍの起き上がり動作として誤検出され、ナースコール親機５で警報音が出力されるのを防止するためである。看護者Ａは、携帯端末（例えば携帯端末７ａ）を取り出し、表示画面７３に表示されている警報音停止を設定するためのアイコンを選択する。
【００５１】
携帯端末７ａは、アプリケーションに基づいて、警報音が出力されないように設定される所定時間、例えば「１０分」「２０分」「３０分」を表示画面７３上に表示させる。看護者Ａが例えば「２０分」を選択すると、携帯端末７ａは、図５に示すように、警報音がナースコール親機５から出力されないように設定されるための警報音停止情報を表示画面７３上に表示させる。警報音停止情報は、例えばバーコード情報７５（本例では二次元のＱＲコード（登録商標））として表示される。バーコード情報７５には看護者Ａによって選択された「２０分」という時間情報、および使用されている携帯端末７ａの携帯端末ＩＤの情報も含まれている。バーコード情報７５は、選択し得る所定時間の数（本例では１０分，２０分，３０分の三個）に対応して複数種類（本例では三種類）用意されている。
【００５２】
看護者Ａが携帯端末７ａに表示された上記バーコード情報７５をカメラ３に向けてかざすと、カメラ３は、バーコード情報７５を読み込み、読み込んだ情報を廊下灯４に送信する。
廊下灯４は、バーコード情報７５を送信したカメラ３を識別し、記憶部の患者情報を参照してカメラ３のＩＰアドレスをバーコード情報７５に付加し、ＩＰアドレス付きのバーコード情報７５を解析装置６に送信する。
解析装置６は、バーコード情報７５に含まれる警報音停止情報、時間情報、および携帯端末ＩＤを識別して、識別したそれらの情報をナースコール制御機８に送信する。
【００５３】
ナースコール制御機８は、警報音停止情報をナースコール親機５へ送信するとともに、選択された時間（２０分）の計測を開始する。
【００５４】
ナースコール親機５は、受信した警報音停止情報に基づいて、ナースコール親機５を警報音が出力されない警報音停止モードに設定する。これにより、患者の起き上がり動作がカメラ３と解析装置６とによって検出されても、すなわち清拭時に看護者Ａの動き等が患者Ｍの起き上がり動作として誤検出された場合でも警報音が出力されない状態となる。
【００５５】
ナースコール制御機８は、計測時間が選択された時間に対して予め設定されている時間に達したとき、間もなく選択した時間が経過する旨を知らせる選択終了信号を看護者Ａの携帯端末７ａに送信する。選択された時間が上記のように２０分の場合、例えば３０秒前の１９分３０秒に達したとき、ナースコール制御機８は、選択終了信号を送信する。
【００５６】
選択終了信号は、携帯端末ＩＤに基づき、構内交換機９を介して看護者Ａの携帯端末７ａに送信される。選択終了信号を受信した携帯端末７ａでは、例えば呼出音が出力された後、「警報音停止モードが間もなく終了します」という警報音停止モードの解除を予告する音声メッセージが出力される。表示画面７３に上記メッセージと同様の文字メッセージが表示されるようにしてもよい。
なお、ナースコール制御機８は、患者Ｍのベッドに設置されたナースコール子機２が備えるスピーカから、上記警報音停止モードの解除を予告する音声メッセージを出力させるように制御してもよい。
【００５７】
看護者Ａは、携帯端末７ａを用いて警報音停止モードを延長することが可能である。携帯端末７ａの表示画面７３に表示される例えば時間延長のアイコンが選択されると、携帯端末７ａは、選択可能な延長時間、例えば「５分」「１０分」「１５分」を表示画面７３上に表示させる。看護者Ａが例えば「５分」を選択すると、上記警報音停止を設定する場合と同様に、バーコード情報が表示され、それをカメラ３に読み込ませることで警報音停止モードが延長される。延長された場合も、予め設定された時間に達したとき、上記と同様に警報音停止モードの解除を予告するメッセージが出力される。
【００５８】
ナースコール制御機８は、計測時間が選択された時間（２０分）に達したとき、時間が延長された場合にはその延長時間（５分）に達したとき、警報音停止モードを解除させる解除信号をナースコール親機５に送信する。
ナースコール親機５は、受信した解除信号に基づいて、ナースコール親機５の警報音停止モードを解除する。これにより、ナースコール親機５は、患者の起き上がり動作が検出されたときに警報音が出力される状態となる。
【００５９】
なお、警報音停止モードが設定されている最中に、携帯端末７を用いて、警報音停止モードを途中で解除することができるようにしてもよい。この場合、携帯端末７ａの表示画面７３に表示される例えば停止モード解除のアイコンが選択されると、上記警報音停止を設定する場合と同様に、バーコード情報が表示され、それをカメラ３に読み込ませることで警報音停止モードが解除される。
【００６０】
続いて、看護者Ａが、患者Ｍを清拭している間、カメラ３による患者Ｍの撮像を停止させる撮像停止操作を行う際の動作について説明する。
看護者Ａは、携帯端末７ａを取り出し、表示画面７３に表示されている撮像停止を設定するためのアイコンを選択する。
【００６１】
以降、上記警報音停止を設定するためのアイコンが選択された場合と同様に、携帯端末７ａには、複数の設定時間が表示され、それを選択するとカメラ３の撮像を停止させるように設定するための撮像停止情報がバーコード情報として表示される。続いて、バーコード情報がカメラ３に読み込まれるとともに、解析装置６で識別されて、識別された情報が解析装置６からナースコール制御機８に送信される。ナースコール制御機８は、撮像停止情報をカメラ３へ送信するとともに、選択された時間の計測を開始する。カメラ３は、受信した撮像停止情報に基づいて、カメラ３を撮像停止モードに設定する。
【００６２】
これにより、選択された所定時間の間、カメラ３による撮像が停止されるとともに、撮像の停止により患者の動作検出が行われなくなり警報音が出力されない状態となる。
なお、撮像停止モードが解除される際、および撮像停止モードの解除が予告される際の動作については、上記警報音停止モードの各動作と同様である。
【００６３】
なお、上記形態では、カメラ３に読み込まれた警報音停止情報、および撮像停止情報等の信号は、ナースコール制御機８を経由してカメラ３からナースコール親機５へ送信されているがこれに限定されない。例えばナースコール制御機８を経由させないで直接、カメラ３からナースコール親機５へ送信されるようにしてもよい。
【００６４】
また、上記形態では、警報音停止情報と撮像停止情報とをカメラ３に読み込ませるようにしているがこれに限定されない。例えばこれらの情報を携帯端末７からローカル用基地局１０および構内交換機９を介してナースコール制御機８へと送信するようにしてもよい。
【００６５】
また、上記形態では、携帯端末７を用いて警報音停止の操作および撮像停止の操作を行っているがこれに限定されない。例えばナースコール子機２のプレート子機２１に押下式の警報音停止スイッチを設け、スイッチの切り替えにより警報音停止モードを設定または解除できるようにしてもよい。また、例えばカメラ３あるいはプレート子機２１に押下式の撮像停止スイッチを設け、スイッチの切り替えにより撮像停止モードを設定または解除できるようにしてもよい。
【００６６】
（変形例）
次に、カメラ３の撮像を停止させる変形例について図６を参照して説明する。
図６に示すように、カメラ３は、開閉可能に取り付けられた蓋３１を備えている。蓋３１は、閉じられた状態（図６における右側の状態）で、カメラ３の撮像面３２を覆うように構成されている。
【００６７】
このような構成のカメラ３において、カメラ３の蓋３１を閉操作することによりカメラ３を撮像停止モードに設定できるようにしてもよい。蓋３１が閉じられた場合、カメラ３はブラックアウト状態となり、所定時間後に自動的に撮像停止モードに移行する。撮像停止モードに移行する際に、カメラ３のＩＰアドレスを付加した停止信号がカメラ３から出力される。出力されたＩＰアドレス付きの停止信号は、ナースコール制御機８に送信される。
【００６８】
ＩＰアドレス付きの停止信号を受信したナースコール制御機８は、撮像が停止される所定時間（例えば２０分）の計測を開始する。そして、所定時間が経過したとき、ナースコール制御機８は、ＩＰアドレスに基づいてそのカメラ３が設置されているナースコール子機２を特定し、ナースコール子機２のスピーカから、例えば「カメラの撮像が停止されています」という音声メッセージを出力させる。
【００６９】
なお、例えば蓋３１の開け忘れを防止するために、蓋３１の撮像面３２側の面にバーコード情報を印刷しておいてもよい。バーコード情報には、蓋３１が閉められていることを示す情報が含まれている。撮像が停止される所定時間が経過したとき、カメラ３を復旧させ、その際に蓋のバーコード情報を読み込むことができるようにしておいて、蓋の開け忘れがある場合にはその旨を報知する音声メッセージを出力させるようにしてもよい。
【００７０】
上記構成のナースコールシステム１によれば、例えば看護者Ａが病室で患者Ｍを清拭するとき等に、その病室でナースコール親機５を警報音停止モードに設定し、ナースコール親機５から警報音が出力されないようにすることが可能である。このため、カメラ３が看護者Ａの看護動作を患者Ｍの起き上がり動作として誤検出した場合でも、ナースコール親機５から警報音を出力させないようにすることができ、見守り機能の利便性を向上させることができる。
【００７１】
また、携帯端末７に表示されるバーコード情報７５をカメラ３にかざして読み込ませることより、ナースコール親機５を警報音停止モードに設定することが可能である。このため、看護者Ａは簡易にナースコール親機５を警報音停止モードに設定することができ、さらに見守り機能の利便性が向上する。
【００７２】
また、設定した警報音停止モードは、所定時間が経過した後に自動的に解除されるので、看護者Ａが警報音停止モードを解除し忘れたとしても患者の見守り機能を確実に継続することができる。
【００７３】
また、警報音停止モードに設定するためのバーコード情報７５が設定時間を異にして複数種類用意されている。このため、看護者Ａは、警報音停止モードに設定する時間を看護内容に応じて適宜選択することができ、さらに見守り機能の利便性が向上する。
【００７４】
また、設定した警報音停止モードの終了時間に近づくと、看護を行っている看護者Ａの携帯端末７ａにその旨が通知される。このため、看護業務の進捗状況に応じて、例えば警報音停止モードを延長することも可能であり、さらに見守り機能の利便性が向上する。また、警報音停止モードの終了時間に近づいた旨の通知は、患者Ｍのベッドに設置されているナースコール子機２のスピーカを介して通知されるようにすることも可能であり、さらに見守り機能の利便性を向上させることができる。
【００７５】
また、カメラ３を撮像停止モードに設定することにより、清拭の間、患者Ｍの撮像を停止させることができるとともに、ナースコール親機５から警報音を出さないようにすることができる。このため、患者Ｍのプライバシーに配慮した見守りを行うことができ、さらに見守り機能の利便性を向上させることができる。
【００７６】
また、カメラ３の蓋３１を開閉操作することにより撮像停止モードの設定および解除を行うことができ、蓋３１を開け忘れた場合には音声メッセージで通知させることも可能である。したがって、さらに見守り機能の利便性を向上させることができる。
【００７７】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００７８】
１：ナースコールシステム、２：ナースコール子機、３：カメラ（撮像機の一例）、４：廊下灯、５：ナースコール親機、６：解析装置（撮像機の一例）、７（７ａ〜７ｅ）：携帯端末、８：ナースコール制御機、３１：蓋、３２：撮像面、６２：解析アプリケーション、７２：携帯アプリケーション、７３：表示画面、７５：バーコード情報、８２ａ：患者情報テーブル、８２ｂ：動作解析ファイル
【図１】
2018166264.tif 000003
【図２】
2018166264.tif 000004
【図３】
2018166264.tif 000005
【図４】
2018166264.tif 000006
【図５】
2018166264.tif 000007
【図６】
2018166264.tif 000008